(57)【要約】【課題】ＬＥＤを配設した基板と導光板との間に水滴が浸入する事態を防止するとともに、導光板の伸縮にも対応し得る照明装置を提供すること。【解決手段】ＬＥＤ２４、２５が搭載されたＬＥＤ基板２２を収容したＬＥＤソケット２１と、ＬＥＤソケット２１に嵌合され、ＬＥＤ２４，２５から出射され、一端面から入射された光を一側面に設けた反射部で反射させる導光板３とを備えた照明装置において、ＬＥＤソケット２１の外周に設けた溝２１ｈに装着され、導光板３を囲繞する防水パッキン２６を備えるようにした。【選択図】        図３
2009176531.tif 000002
【特許請求の範囲】
【請求項１】
発光素子が搭載されたＬＥＤ基板を収容したＬＥＤソケットと、該ＬＥＤソケットに嵌合され、前記発光素子から出射され、一端面から入射された光を一側面に設けた反射部で反射させる導光板とを備えた照明装置において、
前記ＬＥＤソケットの外周に設けた溝に装着され、前記導光板を囲繞する防水パッキンを備えたことを特徴とする照明装置。
【請求項２】
前記防水パッキンは、弾性復元力を有する弾性体で構成されたことを特徴とする請求項１に記載の照明装置。
【請求項３】
前記ＬＥＤソケットは、電源端子を装着する装着穴が形成されており、該装着穴に電源端子を装着した場合には、電源端子から前記ＬＥＤ基板に設けられた電極端子に電力が供給可能となることを特徴とする請求項１〜３の何れか一つに記載の照明装置。
【発明の詳細な説明】
【技術分野】
【０００１】
本発明は、照明装置に関するものであって、特に、ショーケースに配設され、ショーケースに陳列された商品の照明に好適な照明装置に関するものである。
【背景技術】
【０００２】
ショーケースに配設され、ショーケースに陳列された商品を照らす蛍光灯などの照明装置は、水滴が浸入することがないように、防水カバーを備えるようになっている。防水カバーは、水滴の浸入を防止することを一義的な目的とするが、蛍光灯の交換作業の容易性についても考慮する必要がある。また、温度変化、湿度変化が大きい場合には、蛍光灯の伸縮についても考慮する必要がある。
【０００３】
このような観点から、蛍光灯とソケットとの間に水滴が浸入しないようにする防水カバーは、各種の工夫が施されている（たとえば、特許文献１参照）。
【０００４】
【特許文献１】特開２００１−８４８２６号公報
【発明の開示】
【発明が解決しようとする課題】
【０００５】
ところで、ＬＥＤから出射された光を導光板で屈折させ、前面に向けて照射する照明装置をショーケースに配設し、ショーケースに陳列された商品を照らすこととする場合にも、ＬＥＤが搭載されたＬＥＤ基板を内蔵するＬＥＤソケットに水滴が浸入することは好ましくない。また、導光板の伸縮について考慮しなければならないのは、照明装置として蛍光灯を用いる場合と異なるところはない。
【０００６】
本発明は、上記実情に鑑みて、ＬＥＤソケットと導光板との間に水滴が浸入する事態を防止するとともに、導光板の伸縮にも対応し得る照明装置を提供することを目的とする。
【課題を解決するための手段】
【０００７】
上記の目的を達成するために、本発明にかかる照明装置は、発光素子が搭載されたＬＥＤ基板を収容したＬＥＤソケットと、該ＬＥＤソケットに嵌合され、前記発光素子から出射され、一端面から入射された光を一側面に設けた反射部で反射させる導光板とを備えた照明装置において、前記ＬＥＤソケットの外周に設けた溝に装着され、前記導光板を囲繞する防水パッキンを備えたことを特徴とする。
【０００８】
また、本発明にかかる照明装置は、上記発明において、前記防水パッキンは、弾性復元力を有する弾性体で構成されたことを特徴とする。
【０００９】
また、本発明にかかる照明装置は、上記発明において、前記ＬＥＤソケットは、電源端子を装着する装着穴が形成されており、該装着穴に電源端子を装着した場合には、電源端子から前記ＬＥＤ基板に設けられた電極端子に電力が供給可能となることを特徴とする。
【発明の効果】
【００１０】
本発明にかかる照明装置は、ＬＥＤソケットの外周に設けた溝に装着され、導光板を囲繞する防水パッキンを備えたので、ＬＥＤソケットと導光板との間に水滴が浸入する事態を防止することができ、導光板の伸縮にも対応することができる。
【発明を実施するための最良の形態】
【００１１】
以下に添付図面を参照して、本発明にかかる照明装置の好適な実施の形態を詳細に説明する。なお、この実施の形態によりこの発明が限定されるものではない。
【００１２】
図１は本発明にかかる照明装置の実施の形態である照明装置を示す斜視図、図２は図１に示したＬＥＤユニットの構成を示す概念図、図３は図１に示したＬＥＤユニットの構成を示す縦断面図、図４は図１に示したＬＥＤユニットの外表面の形状を示す概念図、図５は図１に示した照明装置のV−V断面図、図６は図２に示したＬＥＤユニットを制御するコントローラを示すブロック図である。
【００１３】
図１に示すように、本実施の形態である照明装置１は、一対のＬＥＤユニット（光源）２、導光板（導光部材）３、反射シート４（図４参照）、ステー５を有している。
【００１４】
一対のＬＥＤユニット２は、光源として機能するものであって、一方のＬＥＤユニット２と他方のＬＥＤユニット２とは、同一の形状及び構造を有している。ＬＥＤユニット２は、図２および図３に示すように、ＬＥＤソケット２１にＬＥＤ基板（プリント基板）２２を収容したものである。ＬＥＤソケット２１は、放熱性を考慮してアルミによって作成され、側方が開口した箱状を呈しており、図３に示すように、内部に、ＬＥＤ基板２２が収容される中室２１ａと、中室２１ａに連通し、ＬＥＤ基板２２の電極端子２２ａが収容される後室２１ｂと、中室２１ａと連通し、導光板３が嵌合される前室２１ｃとを有している。
【００１５】
中室２１ａに後室２１ｂとの間には、ＬＥＤ基板２２が取り付けられる段差２１ｄが形成され、中室２１ａと前室２１ｃとの間には導光板３が当接する段差２１ｅが形成されている。そして、中室２１ａに収容されたＬＥＤ基板２２は段差２１ｄに取り付けられ、前室２１ｃには導光板３が嵌合されるようになっている。したがって、導光板３が温度環境により伸長した場合であっても導光板３が段差に当接するのでＬＥＤ基板２２に搭載された電子部品（たとえば、後述する白色ＬＥＤ２４）と干渉することはなく、導光板３が温度環境により短縮場合であっても導光板３が前室２１ｃから抜け落ちることがない。
【００１６】
また、図３に示すように、ＬＥＤソケット２１の下部には、電源端子１０を装着する装着穴２１ｆが形成されており、電源端子１０が装着可能となっている。電源端子１０は、ゴム製のパッキン１１によってリード線１２との間で防水処理が施され、リード線１２と電源端子１０との間から結露した水が浸入しないようになっている。また、電源端子１０の周りには防水リング１３が装着されており、装着穴２１ｆに電源端子１０を装着した場合に、装着穴２１ｆと電源端子１０との間から結露した水が浸入しないようになっている。そして、装着穴２１ｆに電源端子１０を装着すると、電源端子１０からＬＥＤ基板２２に設けられた電極端子２２ａに電力が供給可能となる。
【００１７】
また、図４に示すように、ＬＥＤソケット２１の開口に対して反対側となる外表面には、矩形の凹部２１ｇを複数形成することによりフィンが構成されており、ＬＥＤユニット２に熱がこもらないようになっている。また、図３および図４に示すように、ＬＥＤソケット２１の外周には、防水パッキン２６を装着するための溝２１ｈが全周に亘って設けてある。
【００１８】
ＬＥＤ基板２２は、電源端子１０から供給された電力によって発光し、光を出射するように構成したもので、図２に示すように、導光板３に対向する面には、光を反射させる反射部材２３を貼着等するとともに、三つの白色ＬＥＤ（Light-emitting diode）２４が横方向一列に配設してある。これらの白色ＬＥＤ２４は、半球形状を呈しており、基準となる色調（白色）の光を出射する基準色出射光源を構成するようになっている。
【００１９】
また、三つの白色ＬＥＤ２４のうち中央に位置する白色ＬＥＤ２４を囲むように、四つの赤色ＬＥＤ２５が長方形の頂点をなすように配設してある。赤色ＬＥＤ２５は、基準となる色調を補う色調（赤色）の光を出射する補色出射光源を構成するようになっている。したがって、白色ＬＥＤ２４のみから光を出射させた場合には青みを帯びた光が導光板３に入射され、白色ＬＥＤ２４と赤色ＬＥＤ２５とから光を出射させた場合には赤みを帯びた光が導光板３に入射されることになる。
【００２０】
ＬＥＤソケット２１に収容されたＬＥＤ基板２２は、ネジ止めされることによって、ＬＥＤソケット２１に取り付けられ、シリコン系樹脂（図示せず）によって封止されている。
【００２１】
導光板３は、一端面から入射された光を反射させることにより、側面から照射させるものであって、アクリル系の透明な材料で構成してある。導光板は、図５に示すように、偏平な矩形断面を有する板状体であって、一側面（上面）３ａに反射部３１が形成してある。反射部３１は、一端面から入射させる光の入射方向と平行に形成した溝３１ａであって、左右の両端面近傍において粗であって、両端面から中央に向かうにつれて密となるように、複数形成してある。すなわち、左右両端面近傍では溝３１ａの数を少数とし、両端面から中央に向かうにつれて密となるように順次溝３１ａの数を増やし、中央で溝３１ａの数が多数となるように形成してある。この溝３１ａは、レーザー加工により形成したものでよく、溝３１ａを形成する斜面を鏡面にする必要はない。むしろ、規則性を有する粗面であって、効率よく光が反射するように形成されていることが好ましい。
【００２２】
防水パッキン２６は、図３に示すように、ＬＥＤソケット２１に装着した状態で、導光板３を囲繞することにより、導光板３からＬＥＤソケット２１の内部に結露した水が浸入する事態を防止するものであり、弾性復元力を有する弾性体、たとえば、ゴムで構成されている。防水パッキン２６は、ＬＥＤソケット２１に密着した状態で装着されるように、ＬＥＤソケット２１の外周と略同一（やや小さめであってもよい。）の内周を有する角筒形状を有している。また、防水パッキン２６の一端内周には、リブ２６ａが全周に亘って形成してあり、このリブ２６ａが、ＬＥＤソケット２１に形成された溝２１ｈに嵌り込むようになっている。さらに、防水パッキン２６の他端内周には、先端が鋭角となった防水リブ２６ｂが全周に亘って形成してあり、この防水リブ２６ｂの先端が導光板３に接触するようになっている。
【００２３】
反射シート４は、導光板３に形成された反射部３１で反射された光をさらに一側面（上面）３ａに対向する他側面（下面）３ｂに反射（鏡面反射および拡散反射）させるものであって、白色のＰＥＴ（Polyethylene Terephthalate）により構成してある。反射シート４は、図５に示すように、導光板の一側面（上面）とその両側面とを覆うものであって、断面コの字状に折り曲げて形成してある。
【００２４】
反射シート４は、その表面に微細な凹凸を有し、反射部で反射された光を拡散反射させるようになっている。すなわち、反射シート４は、反射部３１で反射された光を鏡面反射させるのみならず、拡散反射するようになっている。このような反射シート４は、たとえば、炭酸ガスを用いてＰＥＴ樹脂を発泡させたものであり、反射シート４の表面に構成された気泡が微細な凹凸を構成することになる。
【００２５】
ステー５は、一側面（上面）３ａに反射シート４を密着させた導光板３を収容するものであって、放熱性を考慮してアルミによって作成されている。ステー５は、断面が略コの字状となるように形成してあり、反射シート４と導光板３とを収容した状態で、ステー下面５ａと導光板３の他側面（下面）３ｂとが面一となるようになっている。また、ステー５は、反射シート４と導光板３とを収容した状態で、導光板３の側方に空隙５１を画成するようになっている。
【００２６】
このように構成された照明装置１のＬＥＤユニット２は、図６に示すように、ＬＥＤコントローラ６に接続されている。ＬＥＤコントローラ６は、ＬＥＤユニット２を制御するものであり、一のＬＥＤコントローラ６で１０のＬＥＤユニット２を制御できるようになっている。したがって、上述した実施の形態である照明装置１は、一対のＬＥＤユニット２で一の照明装置１を構成するので、一のＬＥＤコントローラ６で５の照明装置１を制御できることになる。
【００２７】
ＬＥＤコントローラ６は、主制御部（ＣＰＵ及びメモリ）６１のほか、Ｄ／Ｄコンバータ６２、白色用ＬＥＤドライバ６３ａ及び赤色用ＬＥＤドライバ６３ｂ、アナログ入力６４、通信Ｉ／Ｆ６５を備えている。そして、Ｄ／Ｄ６２から供給された直流電源は、主制御部６１のほか、白色用ＬＥＤドライバ６３ａ及び赤色用ＬＥＤドライバ６３ｂに供給されるようになっている。
【００２８】
主制御部６１には、白色ＬＥＤ２４の出力を調整するボリューム（図示せず）と、赤色ＬＥＤ２５の出力を調整するボリューム（図示せず）とが接続してあり、これらボリュームによって設定された値に基づいて、白色用ＬＥＤドライバ（基準色出力調整手段）６３ａ及び赤色用ＬＥＤドライバ（補助色出力調整手段）６３ｂを制御するようになっている。
【００２９】
白色用ＬＥＤドライバ６３ａ及び赤色用ＬＥＤドライバ６３ｂは、ＬＥＤユニット２に接続され、白色ＬＥＤ２４及び赤色ＬＥＤ２５に供給する電力を制御するようになっている。
【００３０】
アナログ入力６４には、温度センサ７が接続可能であって、接続された温度センサ７からの入力によりＬＥＤ２４，２５に流れる電力の制御が可能となっている。例えば、高周囲温度下においてＬＥＤ２４，２５が使用される場合には通電電流規制を行うことにより、ＬＥＤ２４，２５の過熱防止、長寿命化が可能なる。
【００３１】
通信Ｉ／Ｆ６５には、外部装置（ＬＥＤコントローラ６、パソコン８）が接続可能であって、例えば、図７−１に示すように、パソコン８が接続された場合には、複数のＬＥＤコントローラ６がパソコン８によって制御されることになる（外部コントロールモード）。すなわち、パソコン８から設定された値が主制御部６１に接続されたボリュームから設定された値に優先して、白色用ＬＥＤドライバ（基準色出力調整手段）６３ａ及び赤色用ＬＥＤドライバ（補助色出力調整手段）６３ｂが制御されることになる。
【００３２】
また、図７−２に示すように、一のＬＥＤコントローラ６をマスターに設定するとともに他のＬＥＤコントローラ６をスレーブに設定し、順次接続した場合には、マスターとなるＬＥＤコントローラ６によってスレーブとなるＬＥＤコントローラ６が制御されることになる（マスター／スレーブモード）。すなわち、マスターとなるＬＥＤコントローラ６においてボリュームによって設定された値が自身の主制御部６１に接続されたボリュームから設定された値に優先して、白色用ＬＥＤドライバ（基準色出力調整手段）６３ａ及び赤色用ＬＥＤドライバ（補助色出力調整手段）６３ｂが制御されることになる。
【００３３】
また、図７−３に示すように、複数のＬＥＤコントローラ６をそれぞれ接続しない場合には、個々のＬＥＤコントローラ６が自身を制御することになる（単独動作モード）。すなわち、ＬＥＤコントローラ６は、主制御部６１に接続されたボリュームによって設定された値によって、白色用ＬＥＤドライバ（基準色出力調整手段）６３ａ及び赤色用ＬＥＤドライバ（補助色出力調整手段）６３ｂが制御されることになる。
【００３４】
上述した実施の形態である照明装置１は、ＬＥＤコントローラ６によって制御され、白色用ＬＥＤドライバ６３ａ及び赤色用ＬＥＤドライバ６３ｂから供給された電力によって、白色ＬＥＤ２４及び赤色ＬＥＤ２５から光が出射されることになる。白色ＬＥＤ２４及び赤色ＬＥＤ２５から入射した光は、導光板３に設けられた反射部（溝３１ａ）３１により反射され、他側面（下面）３ｂから直接照射され、あるいは反射シート４（凹凸）を介して照射される。
【００３５】
本実施の形態である照明装置１は、ＬＥＤソケット２１の外周に設けた溝２１ｈに装着され、導光板３を囲繞する防水パッキン２６を備えたので、ＬＥＤソケット２１と導光板３との間に水滴が浸入する事態を防止することができ、導光板３の伸縮にも対応することができる。
【００３６】
また、本実施の形態である照明装置１のＬＥＤソケット２１は、電源端子１０を装着する装着穴２１ｆが形成されており、装着穴２１ｆに電源端子１０を装着した場合には、電源端子からＬＥＤ基板２２に設けられた電極端子２２ａに電力が供給可能となるので、照明装置１の交換も容易なものとなる。さらに、装着穴２１ｆと装着した電源端子１０との間は防水リング１３により、電源端子１０とリード線１２との間はパッキン１１により、防水されるので、電源端子１０からＬＥＤソケット２１に水滴が浸入する事態も防止することができる。
【００３７】
上述した実施の形態である照明装置１は、導光板３の両端にＬＥＤユニット（光源）２を配設することとしたが、一方にのみＬＥＤユニット（光源）２を配設し、他方には、光を反射させる反射部材を配設することとしても良い。
【００３８】
また、上述した実施の形態である照明装置１において、ＬＥＤソケット２１に導光板３を直接嵌合させるものとしたが、反射シート４とともにステー５に装着した導光板３をＬＥＤソケット２１に装着させるものとしても良い。
【産業上の利用可能性】
【００３９】
以上のように、本発明にかかる照明装置は、結露するような環境で用いられる照明装置に有用であって、ショーケースのほか、自動販売機にも適用可能である。
【図面の簡単な説明】
【００４０】
【図１】本発明にかかる照明装置の実施の形態である照明装置を示す斜視図である。
【図２】図１に示したＬＥＤユニットの構成を示す概念図である。
【図３】図１に示したＬＥＤユニットの構成を示す縦断面図である。
【図４】図１に示したＬＥＤユニットの外表面の形状を示す概念図である。
【図５】図１に示した照明装置のV−V断面図である。
【図６】図２に示したＬＥＤユニットを制御するコントローラを示すブロック図である。
【図７−１】外部装置からの入力により、複数のコントローラの設定を行う外部コントロールモードを示すブロック図である。
【図７−２】スレーブとなるコントローラの設定をマスターとなるコントローラの設定と同一の設定とするマスター／スレーブモードを示すブロック図である。
【図７−３】複数のコントローラの設定をそれぞれ単独で行う単独動作モードを示すブロック図である。
【符号の説明】
【００４１】
１    照明装置
２    ユニット
２１    ＬＥＤソケット
２１ａ    中室
２１ｂ    後室
２１ｃ    前室
２１ｄ    段差
２１ｅ    段差
２１ｆ    装着穴
２１ｇ    凹部
２１ｈ    溝
２２    基板
２２ａ    電極端子
２３    反射部材
２４    白色ＬＥＤ
２５    赤色ＬＥＤ
２６    防水パッキン
２６ａ    リブ
２６ｂ    防水リブ
３    導光板
３１    反射部
３１ａ    溝
４    反射シート
５    ステー
５ａ    ステー下面
５１    空隙
６    コントローラ
６１    主制御部
６２    Ｄ／Ｄコンバータ
６３ａ    白色用ＬＥＤドライバ
６３ｂ    赤色用ＬＥＤドライバ
６３ａ    ドライバ
６４    アナログ入力
６５    通信Ｉ／Ｆ
７    温度センサ
８    パソコン
１０    電源端子
１１    パッキン
１２    リード線
１３    防水リング
【図１】
2009176531.tif 000003
【図２】
2009176531.tif 000004
【図３】
2009176531.tif 000005
【図４】
2009176531.tif 000006
【図５】
2009176531.tif 000007
【図６】
2009176531.tif 000008
【図７−１】
2009176531.tif 000009
【図７−２】
2009176531.tif 000010
【図７−３】
2009176531.tif 000011